(57)【要約】【課題】増加された感度を有するＩＲセンサを使用する赤外線センサアレイを提供すること。【解決手段】方法が提供される。方法は、周期的チャープをＭＥＭＳセンサアレイの少なくとも２つの画素に伝送するステップと、周期的チャープを受け取る各ＭＥＭＳ共振センサの共振周波数を決定するステップと、周期的チャープを受け取る各ＭＥＭＳ共振センサの共振周波数の変化を決定するステップと、周期的チャープを受け取る各画素に入射するパワーレベルを決定するステップとを含む。一実施形態において、方法は、ＭＥＭＳセンサアレイを較正するステップをさらに含む。別の実施形態において、較正するステップは、各ＭＥＭＳ共振センサに対する基準共振周波数を発生させるステップを含む。他の実施形態において、パワーレベルを決定するステップは、決定された共振周波数と基準共振周波数との間の差を決定するステップを含む。【選択図】図３Ａ
2019035739.tif 000002
【特許請求の範囲】
【請求項１】
周期的チャープを発生させるように構成された信号発生器システム（３１２）と、
検出器システム（３１６）と、
前記信号発生器システム及び前記検出器システムに結合された少なくとも２つのＭＥＭＳ共振センサを備えたＭＥＭＳ共振センサアレイ（３００）と、
前記検出器システムに結合された処理システム（３１８）と
を備える、装置であって、
前記処理システム（３１８）が、
前記ＭＥＭＳ共振センサアレイ（３００）における各画素の共振周波数を決定するように構成されたピーク検出器システム（３１８Ａ）と、
前記決定された共振周波数と、対応する基準共振周波数との間の差に基づいて、各画素に入射する赤外線放射パワーを決定するように構成された画像検出システム（３１８Ｂ）とを備え、
前記画像検出システム（３１８Ｂ）が、参照データベース及び倍率データベースのうちの少なくとも一方を備える、装置。
【請求項２】
前記装置が、前記信号発生器（３１２）に結合された計数システム（３１８Ｃ）をさらに備える、請求項１に記載の装置。
【請求項３】
前記処理システム（３１８）に結合されたシャッタシステム（５３０）をさらに備える、請求項１に記載の装置。
【発明の詳細な説明】
【技術分野】
【０００１】
本開示は、ＭＥＭＳ共振センサアレイのための装置及び方法に関する。
【背景技術】
【０００２】
[0001]非冷却赤外線（ＩＲ）センサアレイは、環境赤外線放射を測定し、暗視ゴーグルなどの画像センサに使用される。非冷却赤外線センサアレイは、非冷却ＩＲセンサから形成される。マイクロボロメータは、従来の非冷却ＩＲセンサである。マイクロボロメータは、ジョンソン、フリッカ、及び熱揺らぎ雑音のため相対的に高い雑音レベルを有する。そのような高い雑音レベルは、マイクロボロメータを限定し、したがって、ＩＲセンサアレイ、感度を限定する。結果として、マイクロボロメータ及びＩＲセンサアレイのダイナミックレンジも限定される。
【発明の概要】
【発明が解決しようとする課題】
【０００３】
したがって、増加された感度を有するＩＲセンサを使用する赤外線センサアレイが必要とされている。
【課題を解決するための手段】
【０００４】
方法が提供される。方法は、周期的チャープをＭＥＭＳセンサアレイの少なくとも２つの画素に伝送するステップと、周期的チャープを受け取る各ＭＥＭＳ共振センサの共振周波数を決定するステップと、周期的チャープを受け取る各ＭＥＭＳ共振センサの共振周波数の変化を決定するステップと、周期的チャープを受け取る各画素に入射するパワー（ｐｏｗｅｒ）レベルを決定するステップとを含む。一実施形態において、方法は、ＭＥＭＳセンサアレイを較正するステップをさらに含む。別の実施形態において、較正するステップは、各ＭＥＭＳ共振センサに対する基準共振周波数を発生させるステップを含む。他の実施形態において、パワーレベルを決定するステップは、決定された共振周波数と基準共振周波数との間の差を決定するステップを含む。
【０００５】
[0002]図面は例示的な実施形態だけを示し、したがって、範囲を限定するとみなしてはならないことを理解し、例示的な実施形態を、添付の図面の使用により、さらに具体的及び詳細に説明する。
【図面の簡単な説明】
【０００６】
【図１】[0003]ＭＥＭＳ赤外線共振センサのアレイの一実施形態を示す平面図である。
【図２】[0004]ＭＥＭＳ赤外線共振センサの一実施形態を示す断面図である。
【図３Ａ】[0005]ＭＥＭＳ赤外線共振センサアレイシステムの一実施形態を示す図である。
【図３Ｂ】[0006]画素の共振周波数の一実施形態を示すグラフである。
【図４】[0007]検出器の一実施形態を示す図である。
【図５】[0008]センサアレイの上のシャッタシステムを示す図である。
【図６】[0009]ＭＥＭＳ赤外線センサアレイの動作の方法の一実施形態を示す図である。
【発明を実施するための形態】
【０００７】
[0010]一般的なやり方に従って、様々な説明される特徴は縮尺どおりではなく、例示的な実施形態に関連した特定の特徴を強調するようによう描かれている。参照文字は図及び本文全体にわたって同じ要素を表す
[0011]以下の詳細な説明において、本明細書の一部を形成し、例示により特定の例示的な実施形態が示される添付の図面を参照する。しかし、他の実施形態を利用することができ、構造的、機械的、及び電気的変更を加えることができることを理解されたい。さらに、図面の図及び明細書に提示される方法は、個々のステップを実施することができる順序を限定すると解釈してはならない。したがって、以下の詳細な説明は、限定的な意味で理解してはならない。
【０００８】
[0012]微小電気機械システム（ＭＥＭＳ：ｍｉｃｒｏ−ｅｌｅｃｔｒｏ−ｍｅｃｈａｎｉｃａｌ  ｓｙｓｔｅｍ）赤外線（ＩＲ：ｉｎｆｒａｒｅｄ）共振センサは、上記の問題を克服するのに使用することができる。ＭＥＭＳ  ＩＲセンサの実施形態は、より低い雑音という少なくとも１つの利点を有する。ＭＥＭＳ  ＩＲ共振センサは、熱揺らぎ雑音だけに制限されるので、より低い雑音を有する。ＭＥＭＳ  ＩＲ共振センサは、教育上の目的で例示されるが、本明細書に説明する実施形態は、ＭＥＭＳ共振センサ（及びＭＥＭＳ共振センサのアレイ）に適用可能である。ＭＥＭＳ共振センサは、共振周波数が、対象の入射信号の量に基づいて変動するセンサであり、赤外線センサ、質量センサ、ガスセンサ、温度センサ、慣性センサ、及び磁気センサを含むが、それらに限定されない。
【０００９】
[0013]図１は、ＭＥＭＳ赤外線共振センサのアレイ（センサアレイ）１００の一実施形態の平面図を示す。例示される実施形態において、アレイ１００は、Ｍ行及びＮ列を有し、合計が、画素Ｐｌ，１からＰＭ，Ｎまでとして示すＮ画素のＭ倍である。各ＭＥＭＳ赤外線共振センサは、本明細書では画素Ｐと表すことができる。別の実施形態において、Ｍ及びＮのそれぞれは、１よりも大きい。
【００１０】
[0014]図２は、ＭＥＭＳ赤外線共振センサ２００の一実施形態の断面図を示す。ＭＥＭＳ赤外線共振センサ２００は、共振器２０２と吸収体２０４とを備える。別の実施形態において、共振器２０２は、バルクモード圧電体（例えば、窒化アルミニウム、窒化ガリウム、Ｙカット水晶、及びニオブ酸リチウム）など、機械的エネルギーを電気的エネルギーに変換する（逆も同様である）材料を含む。ＭＥＭＳ赤外線共振センサ２００は、共振器２０２の寸法及び温度に依存する共振周波数で共振する。
【００１１】
[0015]一実施形態において、吸収体２０４は、例えば、ＩＲ波長、エネルギーを吸収し、熱を発生し、したがって、共振器２０２の温度を上昇させる誘電体（例えば、ポリマー）である。その温度の変化により、ＭＥＭＳ赤外線共振センサ２００の共振周波数が変化する。別の実施形態において、吸収体２０４は、従来の半導体製造技法を使用して共振器２０２上に堆積される。
【００１２】
[0016]図３Ａは、ＭＥＭＳ赤外線共振センサアレイシステム（センサシステム）３３０の一実施形態を示す。センサシステム３３０は、信号発生器システム３１２及び検出システム３１４に結合されたＭＥＭＳ赤外線共振センサのアレイ（センサアレイ）３００を含む。別の実施形態において、センサアレイ３００は、図１に対して上記に説明したように実施される。
【００１３】
[0017]一実施形態において、信号発生器システム３１２は、時間とともに周波数が増加し（例えば、８００ＭＨｚから１０００ＭＨｚまで）、又は時間とともに周波数が減少する、センサアレイ３００におけるＭＥＭＳ赤外線センサ２００の動作周波数範囲で周期的周波数チャープ信号（又は周期的チャープ）を発生させる。別の実施形態において、周期的チャープは、時間とともに線形的に増加又は減少する周波数を有する。あるいは、周期的チャープは、時間とともに非線形的に増加又は減少する周波数を有する。他の実施形態において、信号発生器システム３１２は、センサアレイ３００のすべての画素に結合された１つの信号発生器を含む。さらに別の実施形態において、信号発生器システム３１２は、２つ以上の信号発生器を含む。例えば、１つの信号発生器は、センサアレイ３００の画素に一意的に結合することができる。
【００１４】
[0018]周期的チャープを発生させる信号発生器などの信号発生器は、ＣＭＯＳ技術によりＩＲ検出器と同じ基板上に製作することができる。一実施形態において、信号発生器は、５５５タイマ回路及び／又は演算増幅器を用いて構築される。
【００１５】
[0019]周期的チャープは、センサアレイ３００に伝搬される。１つ又は複数の画素Ｐの共振周波数は、１つ又は複数の画素Ｐに入射する赤外線放射によりシフトすることがある。結果として生じる、センサアレイ３００からの信号出力は、シフトされた共振周波数を反映する。このセンサアレイ３００からの信号出力は、例えば、信号の電圧又はパワーのピーク振幅の時間又は周波数を決定する検出器システム３１６に伝搬される。時間が決定された場合、それは、周期的チャープの各周波数がチャープ中の固有の時間に対応するので、周波数に変換される。
【００１６】
[0020]画素Ｐの共振周波数のシフトをここで示す。図３Ｂは、画素Ｐ３３１の共振周波数の一実施形態を示す。第１の温度Ｔ１、例えば、室温において、ＭＥＭＳ赤外線センサ２００の共振周波数は、ｆＲＥＳＯＮＡＮＣＥ＠Ｔ１である。ＩＲがＭＥＭＳ赤外線センサ２００に入射したとき、ＭＥＭＳ赤外線センサ２００の温度は、第２の温度Ｔ２まで上昇する。温度Ｔ２は温度Ｔ１よりも大きい。共振器２０２を製作するのに使用することができる材料は、共振周波数の負の温度係数を有し、第２の温度Ｔ２における共振周波数（ｆＲＥＳＯＮＡＮＣＥ＠Ｔ２）は、ｆＲＥＳＯＮＡＮＣＥ＠Ｔｌよりも小さい。別の実施形態において、共振周波数の正の温度係数を有する材料を使用することができる。
【００１７】
[0021]図３Ａに戻ると、一実施形態において、検出システム３１４は、処理システム３１８に結合された検出器システム３１６を含む。別の実施形態において、図３Ａに示すように、検出器システム３１６は、検出器ｌ，ｌ３１６ａから検出器Ｒ，Ｓ３１６ｎまでを備えるＲ×Ｓ検出器のアレイを含む。センサアレイ３００における各画素Ｐは、固有の検出器に結合される。
【００１８】
[0022]図４は、検出器４１６ｘの一実施形態を示す。検出器システム３１６の１つ又は複数の検出器のそれぞれは、それぞれ、そのような検出器回路に入射する電圧又はパワーに関連した、例えば比例した、アナログ（電圧又は電流）信号を発生させる検出器回路４１６ｘ−１を含む。別の実施形態において、アナログ／デジタル変換器（ＡＤＣ）４１６ｘ−２が、１つ又は複数の検出器回路の出力に結合される。他の実施形態において、マルチプレクサが、２つ以上の検出器回路の出力をＡＤＣ４１６ｘ−２の入力に結合することができる。各検出器回路は、連続してＡＤＣ４１６ｘ−２に結合される。各アナログ／デジタル変換器は、検出器回路４１６ｘ−１によって発生されたアナログ信号を、デジタルシステムによって容易に処理することができるデジタル信号に変換する。
【００１９】
[0023]図３Ａに戻ると、代替実施形態において、検出システム３１６は、２つ以上の画素に結合された少なくとも１つのマルチプレクサを備える。例えば、単一のマルチプレクサを、センサアレイ３００における各画素及び単一の検出器に結合することができる。マルチプレクサを使用して、検出システム３１６は、時間とともにすべての画素からの信号を処理することができる。
【００２０】
[0024]図４に戻ると、一実施形態において、検出器４１６ｘは、積分器回路などの平均化回路４１６ｘ−３を含む。平均化回路４２６ｘ−３は、２つ以上の周期的チャープにわたる画素の共振周波数を平均化する。例示される実施形態において、平均化回路４１６は、センサアレイ３００と検出器回路４１６ｘ−１との間に結合される。あるいは、別の実施形態において、平均化回路４１６ｘ−３は、検出器回路４１６ｘ−１とＡＤＣ４１６ｘ−２との間に結合することができる。
【００２１】
[0025]図３に戻ると、一実施形態において、例示された処理システム３１８は、メモリに結合されたプロセッサなどの状態機械を用いて実施される。別の実施形態において、フィールドプログラマブルゲートアレイ及び／又は特定用途向け集積回路をプロセッサ及びメモリの全部又は一部の代わりに使用することができる。他の実施形態において、メモリは、ランダムアクセスメモリ、読出し専用メモリ、フラッシュメモリ、及び／又は磁気メモリを用いて実施することができる。
【００２２】
[0026]一実施形態において、処理システム３１８は、ピーク検出器システム３１８Ａと、画像検出システム３１８Ｂと、計数システム３１８Ｃとを含む。別の実施形態において、ピーク検出器システム３１８Ａ、画像検出システム３１８Ｂ、及び計数システム３１８Ｃは、処理システム３１８によって備えられ、実行される。他の実施形態において、計数システム３１８Ｃは、信号発生器システム３１２に結合される。他の実施形態において、計数システム３１８Ｃは、計数回路である。あるいは、計数システム３１８Ｃは、信号発生器システム３１２又は他の場所に配置することができる。計数周波数は、所望の周波数分解能、例えば、１Ｈｚ以下を提供して、ＭＥＭＳ赤外線共振センサの共振周波数のシフトを正確に決定するのに十分に高い。
【００２３】
[0027]信号発生器システム３１２は、信号発生器システム３１２によって発生された各周期的チャープの開始から、信号を計数システム３１８Ｃに送って、カウントを、例えば、ゼロから開始するように構成される。周期的チャープが完了した後、計数システム３１８Ｃは、後続の周期的チャープの開始と同時にリセットし、カウントを例えばゼロから再開する。各カウントは、周期的チャープ内の周波数瓶、又は範囲に対応する。
【００２４】
[0028]ピーク検出器システム３１８Ａは、センサアレイ３００における各画素Ｐの共振周波数を識別するように構成される。一実施形態において、センサアレイ３００における各画素Ｐに対して、ピーク検出器システム３１８Ａは、最大又はピーク、測定振幅に対応する計数システム３１８Ｃのカウントを識別し、記憶する。ピーク検出システム３１８Ａは、公式、及び／又はピーク検出システム３１８Ａにおけるルックアップテーブルデータベースを使用し、各画素に対する記憶されたカウントを使用して、実質的にＭＥＭＳ赤外線共振センサの共振周波数である周期的チャープの対応する周波数を決定する。周期的チャープが線形である場合、共振周波数は、定数で乗算された測定カウントによって画定される。例えば、定数は、周期的チャープの周波数範囲をカウント範囲で除算されたものであるはずである。ピーク検出器システム３１８Ａは、各画素Ｐに対する共振周波数を画像検出システム３１８Ｂに連絡する。
【００２５】
[0029]本明細書では、データベースとは、データファイル及び／又はレジスタの使用を含む、従来のデータベース又は任意の他のデータ記憶技法を意味する。本明細書で説明する２つ以上のデータベースは、単一のデータベースに組み合わせることができる。
【００２６】
[0030]代替実施形態において、ピーク検出器システム３１８Ａは、少なくとも１つの高速フーリエ変換（ＦＦＴ：ｆａｓｔ  Ｆｏｕｒｉｅｒ  ｔｒａｎｓｆｏｒｍ）を含む（例えば、ピーク検出器システム３１８Ａに記憶され、処理システム３１８によって実行される）。例えば、各チャープ周期を用いて、ＦＦＴが、各画素に対する検出器システム３１６の出力により実施され、データのＲ瓶を発生させる。各瓶は、周期的チャープの周波数範囲における周波数の範囲に対応する。別の実施形態において、各瓶の帯域幅は、Ｒで除算された周期的チャープの周波数範囲に等しい。Ｒはシステム設計者によって選択することができる。各サイクルに対して、ピーク検出器システム３１８Ａは、最大振幅を有する瓶を決定する。さらに他の実施形態において、各周期的チャープに対して、最大振幅を有する瓶の中心周波数は、対応する画素Ｐの共振周波数として識別される。ピーク検出器システム３１８Ａは、各画素Ｐに対する共振周波数を画像検出システム３１８Ｂに連絡する。
【００２７】
[0031]画像検出システム３１８Ｂは、共振周波数シフトに基づいて各画素Ｐへの入射赤外線放射の振幅（例えば、パワー）を決定するように構成される。より具体的には、後で説明するように、画像検出システム３１８Ｂは、決定された共振周波数と、対応する基準共振周波数との間の差に基づいて、各画素Ｐに入射する赤外線放射パワーを決定するように構成される。
【００２８】
[0032]一実施形態において、画像検出システム３１８Ｂは、赤外線放射が画素に何も入射しないとき、センサアレイ３００の各画素Ｐの共振周波数を記憶する参照データベースを含む。そのような共振周波数は、基準共振周波数と呼ばれる。しかし、参照データベースは、処理システム３１８の他の場所に配置することができる。基準共振周波数を得る１つの方法を後で説明する。
【００２９】
[0033]画像検出システム３１８Ｂは、各画素Ｐに対する測定された共振周波数と基準共振周波数との間の差を決定する。例えば、差は、測定された共振周波数から基準共振周波数を減算したものである。差は共振周波数シフトである。公式、及び／又は画像検出システム３１８Ｂにおけるルックアップテーブルデータベースを使用して、画像検出システム３１８Ｂは、各画素Ｐへの入射赤外線パワーを決定する。
【００３０】
[0034]変動する環境条件（変動する温度など）又は画素Ｐの性能における時間変動変化（センサアレイ３００の経年変化及び／又は劣化による長期画素共振周波数ドリフトなど）を補償するために、各画素Ｐに対する基準共振周波数は、連続的に又は周期的に再測定されなければならない。これを達成するために、一実施形態において、センサシステム３３０は、センサアレイ３００を入射赤外線放射から絶縁するシャッタシステム５３０を含む。図５は、センサアレイ３００の上のシャッタシステム５３０を示す。シャッタシステム５３０は、シャッタを備える。シャッタは、カメラに使用されるものと同様の電気機械式シャッタでよい。あるいは、シャッタは、例えば、液体金属、液晶、及び／又は電気的に作動させて、赤外線放射を遮断することができる他の材料から製作された電気光学シャッタでよい。別の実施形態において、シャッタシステム５３０は、例えば、画像検出システム３１８Ｂを用いてシャッタの開閉を制御する処理システム３１８に結合される。シャッタは、例えば、基準共振周波数の決定のために較正を実施するとき、閉じられる。他の実施形態において、シャッタシステム５３０は、処理システム３１８からのデジタル制御信号を、シャッタを開閉するアナログ信号に変換するために処理システム３１８に結合されるように構成される駆動回路を含む。
【００３１】
[0035]シャッタが作動されたとき、赤外線放射は、センサアレイ３００の画素Ｐに入射することから遮断される。各画素Ｐの基準共振周波数（赤外線放射がない場合）は、上記に説明した技法のうちの１つを使用して測定され、参照データベースに記憶される。一実施形態において、基準共振周波数は、環境赤外線放射の各測定の前に特徴付けられる。しかし、基準共振周波数は、それほど頻繁に特徴付けなくてよく、例えば、処理システムによって制御され、及び／又はシステム設計者によって決定されるように、必要に応じた頻度で周期的に測定することができる。
【００３２】
[0036]任意選択で、一実施形態において、各画素に対する倍率を測定することができる。倍率は、各画素Ｐに、同一の、一定のパワーレベルの赤外線放射を入射させることによって決定される。画素が、異なる共振周波数を発生させる場合、倍率は、各画素に対して計算することができる。各画素Ｐに対する倍率は、例えば、検出された電圧もしくはパワーレベル又はそれぞれの画素に対応する初期に決定された共振周波数で乗算されて、同一の、一定の赤外線パワーレベルが画素Ｐに入射したとき、各画素に対して同じ共振周波数が確実に決定されるものとする。今後の測定のために、各画素に対する検出された電圧もしくはパワーレベル又は決定された共振周波数は、少なくとも一次まで、各画素Ｐが入射赤外線放射に対して同じ応答を有するように倍率で乗算される。倍率は、例えば、倍率データベースに、処理システム３１８に、例えば、画像検出システム３１８Ｂに記憶することができる。
【００３３】
[0037]一実施形態において、倍率較正が、検出器システム３１６又は処理システム３１８のいずれか、例えば、画像検出システム３１８Ｂにおいて実施される。倍率較正は、所与の適用例への必要に応じた頻度で実施することができる。
【００３４】
[0038]図３Ａに戻ると、一実施形態において、少なくとも１つの入力／出力デバイス（Ｉ／Ｏ）３１３が処理システム３１８に結合される。Ｉ／Ｏ３１３は、それぞれ、センサシステム３３０によって、及びセンサシステム３３０のために外部的に発生されたデータ及びコマンドを送受信することができる。Ｉ／Ｏ３１３は、モデム、ディスプレイ（タッチ画面など）、キーボード、カーソル制御デバイス（マウスなど）、スピーカ、及び／又はマイクロホン及び音声認識システムを含む。例えば、データは、別のシステム及び／又は人間でよいユーザと送受信することができる。別の実施形態において、Ｉ／Ｏ３１３は、例えば、暗視ゴーグルに使用されたとき、センサアレイ３００に入射する赤外線放射パワーレベルを出力、例えば、表示するのに使用することができる。
【００３５】
[0039]図６は、ＭＥＭＳ  ＩＲセンサアレイの動作の方法６００の一実施形態を示す。図６に示す方法６００の実施形態を、図１Ａから２Ｄに示すシステムにおいて実施されるものとして本明細書で説明する限りにおいて、他の実施形態を他のやり方で実施することができることを理解されたい。流れ図のブロックは、説明を容易にするために、全体的に逐次的方式で配列されている。しかし、この配列は、単に例示的に過ぎないことを理解し、方法（及び図に示すブロック）に関連した処理は、異なる順序で発生することができる（例えば、ブロックに関連した処理の少なくともいくつかが並列に、及び／又は事象駆動方式で実施される場合）ことを認識されたい。赤外線は教育的理由で図６に対して参照されるが、例示される方法は、他のＭＥＭＳ共振センサに適用可能である。
【００３６】
[0040]一実施形態において、ブロック６４０では、ＭＥＭＳ赤外線センサアレイを較正する。別の実施形態において、ＭＥＭＳ赤外線センサアレイの各画素に対する基準共振周波数を発生させることによって、例えば、シャッタを閉じ、各画素の共振周波数を決定することによって（上記にさらに説明したように）較正する。他の実施形態において、シャッタが閉じられたとき、以下のブロック６４４及び６４６を実施することによって較正を実施する。さらに別の実施形態において、例えば、上記に説明したように、ＭＥＭＳ赤外線センサアレイの各画素に対する倍率を発生させることによって較正する。
【００３７】
[0041]ブロック６４４では、周期的チャープを少なくとも２つの画素、例えば、センサアレイにおけるいくつか又はすべての画素に伝送する。ブロック６４６では、例えば、上記に説明したように、周期的チャープを受け取る各画素の共振周波数を決定する。ブロック６４８では、例えば、上記に説明したように、周期的チャープを受け取る各画素の共振周波数の変化を決定する。ブロック６５０では、例えば、上記に説明したように、例えば、周期的チャープを受け取る各画素に入射する赤外線放射のパワーレベルを決定する。一実施形態において、ブロック６５２では、例えば、周期的チャープに対して、各画素に入射するパワーレベルを出力する。
【実施例１】
【００３８】
[0042]実施例１は、周期的チャープを発生させるように構成された信号発生器システムと、検出器システムと、信号発生器システム及び検出器システムに結合された少なくとも２つのＭＥＭＳ共振センサを備えたＭＥＭＳ共振センサアレイと、検出器システムに結合された処理システムとを備える装置を含む。
【実施例２】
【００３９】
[0043]実施例２は、実施例１の装置を含み、検出器システムが、少なくとも１つの検出器を備える。
【実施例３】
【００４０】
[0044]実施例３は、実施例２の装置を含み、各検出器が、検出器回路と、検出器回路に結合されたアナログ／デジタル変換器とを備える。
【実施例４】
【００４１】
[0045]実施例４は、実施例１〜３のうちのいずれかの装置を含み、処理システムが、ＭＥＭＳ共振センサアレイにおける各画素の共振周波数を決定するように構成されたピーク検出器システムと、決定された共振周波数と、対応する基準共振周波数との間の差に基づいて、各画素Ｐに入射する赤外線放射パワーを決定するように構成された画像検出システムとを備え、画像検出システムが、参照データベース及び倍率データベースのうちの少なくとも一方を備える。
【実施例５】
【００４２】
[0046]実施例５は、実施例４の装置を含み、装置が、信号発生器に結合された計数システムをさらに備える。
【実施例６】
【００４３】
[0047]実施例６は、実施例１〜５のうちのいずれかの装置を含み、シャッタシステムをさらに備える。
【実施例７】
【００４４】
[0048]実施例７は、実施例６の装置を含み、シャッタシステムが、電気光学シャッタを備える。
【実施例８】
【００４５】
[0049]実施例８は、実施例１〜７のうちのいずれかの装置を含み、周期的チャープの周波数が、各周期中に線形的に増加する。
【実施例９】
【００４６】
[0050]実施例９は、実施例１〜８のうちのいずれかの装置を含み、各ＭＥＭＳ共振センサが、共振器と、共振器上の吸収体とを備える。
【実施例１０】
【００４７】
[0051]実施例１０は、実施例９の装置を含み、吸収体が赤外線吸収体である。
【実施例１１】
【００４８】
[0052]実施例１１は、周期的チャープを発生させるように構成された信号発生器システムと、少なくとも１つの検出器を備えた検出器システムであって、少なくとも１つの検出器のそれぞれが、アナログ／デジタル変換器に結合された検出器回路を備える、検出器システムと、信号発生器システム及び検出器システムに結合されたＭＥＭＳ赤外線共振センサのＭ行及びＮ列を備えた赤外線ＭＥＭＳ共振センサアレイと、ＭＥＭＳ共振センサアレイにおける各画素の共振周波数を決定するように構成されたピーク検出器システム、決定された共振周波数と、対応する基準共振周波数との間の差に基づいて、各画素Ｐに入射する赤外線放射パワーを決定するように構成された画像検出システムを備えた、検出器システムに結合された処理システムとを備える装置を含み、処理システムが、参照データベース及び倍率データベースのうちの少なくとも一方を備える。
【実施例１２】
【００４９】
[0053]実施例１２は、実施例１１の装置を含み、装置が、処理システムに結合されたシャッタシステムをさらに備える。
【実施例１３】
【００５０】
[0054]実施例１３は、実施例１２の装置を含み、シャッタシステムが、電気光学シャッタを備える。
【実施例１４】
【００５１】
[0055]実施例１４は、実施例１１〜１３のうちのいずれかの装置を含み、装置が、信号発生器に結合された計数器をさらに備える。
【実施例１５】
【００５２】
[0056]実施例１５は、周期的チャープをＭＥＭＳセンサアレイの少なくとも２つの画素に伝送するステップと、周期的チャープを受け取る各ＭＥＭＳ共振センサの共振周波数を決定するステップと、周期的チャープを受け取る各ＭＥＭＳ共振センサの共振周波数の変化を決定するステップと、周期的チャープを受け取る各画素に入射するパワーレベルを決定するステップとを含む方法である。
【実施例１６】
【００５３】
[0057]実施例１６は、実施例１５の方法を含み、ＭＥＭＳセンサアレイを較正するステップをさらに含む。
【実施例１７】
【００５４】
[0058]実施例１７は、実施例１６の方法を含み、較正するステップは、各ＭＥＭＳ共振センサに対する基準共振周波数を発生させるステップを含む。
【実施例１８】
【００５５】
[0059]実施例１８は、実施例１５〜１７のうちのいずれかの方法を含み、パワーレベルを決定するステップが、決定された共振周波数と基準共振周波数との間の差を決定するステップを含む。
【実施例１９】
【００５６】
[0060]実施例１９は、実施例１５〜１８のうちのいずれかの方法を含み、周期的チャープを発生させるステップが、周期中に線形的に増加する周波数を有する周期的チャープを発生させるステップを含む。
【実施例２０】
【００５７】
[0061]実施例２０は、実施例１５〜１９のうちのいずれかの方法を含み、共振周波数を決定するステップが、ＭＥＭＳ共振センサから検出された最大測定振幅に対応するカウントを識別するステップと、カウントをそのＭＥＭＳ共振センサの共振周波数に変換するステップとを含む。
【００５８】
[0062]本出願では、相対位置の用語は、向きにかかわらず、層、ウェーハ、又は基板の従来の平面又は作業面と平行の平面、又は同一平面上の用語の場合、同じ平面に基づいて定義される。本出願では、「水平の（ｈｏｒｉｚｏｎｔａｌ）」又は「横の（ｌａｔｅｒａｌ）」という用語は、向きにかかわらず、層、ウェーハ、又は基板の従来の平面又は作業面に平行の平面と定義される。「垂直の（ｖｅｒｔｉｃａｌ）」という用語は、水平に対して直角の方向を表す。「の上（ｏｎ）」、「側（ｓｉｄｅ）」（「側壁」と同様）、「より高い（ｈｉｇｈｅｒ）」、「より低い（ｌｏｗｅｒ）」、「の上（ｏｖｅｒ）」、「上（ｔｏｐ）」及び「の下（ｕｎｄｅｒ）」などの用語は、向きにかかわらず、層、ウェーハ、又は基板の上面上にある従来の平面又は作業面に対して定義される。本出願では、「同一平面上の（ｃｏｐｌａｎａｒ）」という用語は、向きにかかわらず、層、ウェーハ、又は基板の従来の平面又は作業面と同じ平面における平面と定義される。
【００５９】
[0063]特定の実施形態を例示し、本明細書で説明してきたが、同じ目的を達成するように計算される任意の配列は、図示する特定の実施形態と置き換えることができることが当業者に理解されよう。したがって、本発明は、特許請求の範囲及びその同等物によってのみ限定されることが明白に意図されている。
【符号の説明】
【００６０】
１００  ＭＥＭＳ赤外線共振センサのアレイ（センサアレイ）
２００  ＭＥＭＳ赤外線共振センサ
２０２  共振器
２０４  吸収体
３００  ＭＥＭＳ赤外線共振センサのアレイ（センサアレイ）
３１２  信号発生器システム
３１３  入力／出力デバイス
３１４  検出システム
３１６  検出器システム
３１８  処理システム
３１８Ａ  ピーク検出器システム
３１８Ｂ  画像検出システム
３１８Ｃ  計数システム
３３０  ＭＥＭＳ赤外線共振センサアレイシステム（センサシステム）
３３１  画素Ｐ
４１６ｘ  検出器
４１６ｘ−１  検出器回路
４１６ｘ−２  アナログ／デジタル変換器
４１６ｘ−３  平均化回路
５３０  シャッタシステム
６００  ＭＥＭＳ  ＩＲセンサアレイの動作の方法
６４０  ブロック
６４４  ブロック
６４６  ブロック
６４８  ブロック
６５０  ブロック
６５２  ブロック
【図１】
2019035739.tif 000003
【図２】
2019035739.tif 000004
【図３Ａ】
2019035739.tif 000005
【図３Ｂ】
2019035739.tif 000006
【図４】
2019035739.tif 000007
【図５】
2019035739.tif 000008
【図６】
2019035739.tif 000009
【外国語明細書】
2019035739000001.pdf